(57)【要約】【課題】操作者にとって操作時の設定内容の確認を容易なものとし、操作性を向上させる。【解決手段】操作者に対する操作案内をＰＣ１の表示部１５０に表示させる表示制御プログラムであって、操作者に対する１以上の項目の設定値の変更が可能とされるデフォルト画面と、１以上の項目の設定値の変更が可能であり、当該デフォルト画面から切り換え表示される第２画面とを表示する表示制御部１０１と、表示制御部１０１によってデフォルト画面又は第２画面が表示部１５０に表示されているときに、各項目の設定値を変更するそれぞれの指示を、操作者から受け付ける設定変更受付部１０２とを備え、表示制御部１０１が、デフォルト画面に、前記第２画面で変更可能とされる項目の設定値を表示させるように、コンピュータを機能させる。【選択図】図１
2008046773.tif 000002
【特許請求の範囲】
【請求項１】
操作者に対する操作案内をコンピュータの表示部に表示させる表示制御プログラムであって、
操作者に対して１以上の項目の設定値の変更を可能とするデフォルト画面と、１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記表示制御手段は、前記デフォルト画面に、前記第２画面で変更可能とされる項目の設定値を表示させるように、コンピュータを機能させる表示制御プログラム。
【請求項２】
前記表示制御手段は、前記第２画面で変更可能とされる各項目毎の設定値を互いに別個に前記デフォルト画面に表示させるように、コンピュータを機能させる請求項１に記載の表示制御プログラム。
【請求項３】
前記表示制御手段は、前記設定変更受付手段によって受け付けられた設定変更指示で、前記第２画面で変更可能とされる項目のいずれかの値が変更された場合に、当該変更後の設定値を前記デフォルト画面に表示させるように、コンピュータを機能させる請求項１又は請求項１又は請求項２に記載の表示制御プログラム。
【請求項４】
前記表示制御手段は、前記設定変更受付手段によって受け付けられた設定変更指示で、前記第２画面で変更可能とされる項目のいずれかの設定値がデフォルト値から変更されている場合に、当該変更後の設定値を前記デフォルト画面に表示させるように、コンピュータを機能させる請求項１又は請求項２に記載の表示制御プログラム。
【請求項５】
前記表示制御手段は、前記デフォルト画面における、前記第２画面で変更可能とされる項目の設定値を示す表示部分に、当該設定値の変更を受け付けるための設定変更ボタンを表示させ、
前記設定変更受付手段は、コンピュータの入力装置を用いた操作者による前記設定変更ボタンの操作に基づいて、前記設定値の変更指示を受け付けるように、コンピュータを機能させる請求項１乃至請求項４のいずれかに記載の表示制御プログラム。
【請求項６】
前記表示制御手段は、前記設定変更受付手段によって受け付けられた設定変更指示に基づいて、前記第２画面で変更可能とされる項目のいずれかの値が変更された場合、前記デフォルト画面における、当該変更された項目の設定が可能である第２画面への切換案内を表示する部分に、当該案内表示と、当該変更された項目の設定値とを時間差を設けて交互に表示させるように、コンピュータを機能させる請求項１乃至請求項５のいずれかに記載の表示制御プログラム。
【請求項７】
前記表示制御手段は、前記設定変更受付手段によって受け付けられた設定変更指示に基づいて、前記第２画面で変更可能とされる項目のいずれかの値が変更された場合、前記デフォルト画面における、当該変更された項目の設定が可能である第２画面への切換案内を表示する部分に、当該切換案内表示と、当該変更された項目の設定値とをスクロール表示させるように、コンピュータを機能させる請求項１乃至請求項５のいずれかに記載の表示制御プログラム。
【請求項８】
前記表示制御手段は、前記設定変更受付手段によって受け付けられた設定変更指示に基づいて、前記第２画面で変更可能とされる項目のいずれかの値が変更された場合、前記デフォルト画面における、当該変更された項目の設定が可能である第２画面への切換案内を表示する部分に、当該表示部分に表示する項目の一部を固定して表示させ、これとは別の項目をスクロール表示させるように、コンピュータを機能させる請求項１乃至請求項５のいずれかに記載の表示制御プログラム。
【請求項９】
操作者に対する操作案内をコンピュータの表示部に表示させる表示制御プログラムであって、
操作者に対して１以上の項目の設定値の変更を可能とするデフォルト画面と、１以上の項目の設定値の変更が可能であり、このデフォルト画面から切り換えて表示される第２画面とを表示する表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記表示制御手段は、前記設定変更受付手段によって受け付けられた設定変更指示に基づいて、前記第２画面で変更可能とされる項目のいずれかの値が変更された場合、前記デフォルト画面における、当該変更された項目の設定が可能である第２画面を示す表示部分を、それまでの表示とは異ならせて表示させるように、コンピュータを機能させる表示制御プログラム。
【請求項１０】
操作者に対する操作案内を表示する表示部と、
操作者に対して１以上の項目の設定値の変更を可能とするデフォルト画面と、１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記表示制御手段は、前記デフォルト画面に、前記第２画面で変更可能とされる項目の設定値を表示させる表示装置。
【請求項１１】
操作者に対する操作案内をコンピュータの表示部に表示する表示制御方法において、
操作者に対して１以上の項目の設定値の変更を可能とするデフォルト画面と、１以上の項目の設定値の変更が可能であり、このデフォルト画面から切り換えて表示される第２画面とを表示する第１ステップと、
前記第１ステップで前記デフォルト画面又は第２画面が前記表示部に表示させているときに、前記各項目の設定値を変更するそれぞれの指示を、操作者から受け付ける第２ステップと、
前記デフォルト画面に、前記第２画面で変更可能とされる項目の設定値を表示させる第３ステップと
を備える表示制御方法。
【請求項１２】
記録紙に対する一連の画像形成動作を行う画像形成手段と、
前記画像形成動作に関する操作案内を表示する表示部と、
操作者に対して１以上の項目の設定値の変更を可能とするデフォルト画面と、１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記表示制御手段は、前記デフォルト画面に、前記第２画面で変更可能とされる項目の設定値を表示させる画像形成装置。
【発明の詳細な説明】
【技術分野】
【０００１】
本発明は、表示制御プログラム、表示装置、表示制御方法及び画像形成装置に関し、特に、操作者に対する操作案内を表示装置に表示する技術に関するものである。
【背景技術】
【０００２】
従来から、操作者に対する操作案内を、コンピュータや画像形成装置等のディスプレイに表示させる技術がある。この技術が適用される例として、下記特許文献１に示されるファイルデータプリント出力方法がある。このファイルデータプリント出力方法は、パーソナルコンピュータ上で、アプリケーションソフトウエアにより、編集中のファイルデータを画像形成装置に出力する際に、モニタ画面のタスクバー上に表示される第１プリンタアイコン２０１から、画像形成装置の各オプション機能を示す部分２０２Ａ〜２０２Ｈで構成される第２プリンタアイコン２０２がプルダウンされるようにし、当該プルダウン表示のいずれかの部分を操作者がポインタでクリックすると、当該パーソナルコンピュータが、現在編集中のファイルデータと共に、指示された部分に対応する機能の実行指示を画像形成装置に出力するものである。
【特許文献１】特開２００３−３１６５３６号公報
【発明の開示】
【発明が解決しようとする課題】
【０００３】
一般に、ディスプレイに操作案内が表示されているときに、操作者が、ページレイアウトや、拡大縮小倍率、用紙設定等の詳細事項を設定する場合、プリンタドライバのデフォルト画面では設定できず、更に下位層の操作画面を表示させて設定するようになっていることが多い。そして、当該下位層の操作画面で設定した内容を確認するには、当該下位層を表示させなければ設定内容を確認できないことが多い。上記特許文献１に示されているファイルデータプリント出力方法は、画像形成装置の機能を簡単かつ確実に選択できるが、下位層の操作画面で設定した内容を確認するには、当該下位層を表示させなければ設定内容を確認できないため、上記と同様の操作を行わなければならず、詳細な設定内容を確認する際における操作者にとっての不便さを解消できない。
【０００４】
本発明は、上記の問題を解決するためになされたもので、操作者にとって、操作時の設定内容の確認を容易なものとし、操作性を向上させることを目的とする。
【課題を解決するための手段】
【０００５】
本発明の請求項１に記載の発明は、操作者に対する操作案内をコンピュータの表示部に表示させる表示制御プログラムであって、
操作者に対して１以上の項目の設定値の変更を可能とするデフォルト画面と、１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記表示制御手段は、前記デフォルト画面に、前記第２画面で変更可能とされる項目の設定値を表示させるものである。
【０００６】
また、請求項１０に記載の発明は、操作者に対する操作案内を表示する表示部と、
操作者に対して１以上の項目の設定値の変更を可能とするデフォルト画面と、１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記表示制御手段は、前記デフォルト画面に、前記第２画面で変更可能とされる項目の設定値を表示させる表示装置である。
【０００７】
また、請求項１１に記載の発明は、操作者に対する操作案内をコンピュータの表示部に表示する表示制御方法において、
操作者に対して１以上の項目の設定値の変更を可能とするデフォルト画面と、１以上の項目の設定値の変更が可能であり、このデフォルト画面から切り換えて表示される第２画面とを表示する第１ステップと、
前記第１ステップで前記デフォルト画面又は第２画面が前記表示部に表示させているときに、前記各項目の設定値を変更するそれぞれの指示を、操作者から受け付ける第２ステップと、
前記デフォルト画面に、前記第２画面で変更可能とされる項目の設定値を表示させる第３ステップと
を備えるものである。
【０００８】
また、請求項１２に記載の発明は、記録紙に対する一連の画像形成動作を行う画像形成手段と、
前記画像形成動作に関する操作案内を表示する表示部と、
操作者に対して１以上の項目の設定値の変更を可能とするデフォルト画面と、１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記表示制御手段は、前記デフォルト画面に、前記第２画面で変更可能とされる項目の設定値を表示させる画像形成装置である。
【０００９】
これらの構成によれば、上記デフォルト画面に、第２画面で変更可能な項目の設定値が表示されるので、操作者は、当該第２画面を表示させる操作を行うことなく、第２画面で変更可能な項目の設定値を確認でき、操作性が向上する。
【００１０】
また、請求項２に記載の発明は、請求項１に記載の表示制御プログラムであって、前記表示制御手段は、前記第２画面で変更可能とされる各項目毎の設定値を互いに別個に前記デフォルト画面に表示させるように、コンピュータを機能させるものである。
【００１１】
この構成によれば、上記第２画面で変更可能な各項目の設定値が、それぞれ別個に上記デフォルト画面に表示される。これにより、操作者は、上記第２画面で変更可能な各項目のそれぞれの設定値を確認しやすくなり、操作性が更に向上する。
【００１２】
また、請求項３に記載の発明は、請求項１又は請求項２に記載の表示制御プログラムであって、前記表示制御手段は、前記設定変更受付手段によって受け付けられた設定変更指示で、前記第２画面で変更可能とされる項目のいずれかの値が変更された場合に、当該変更後の設定値を前記デフォルト画面に表示させるように、コンピュータを機能させるものである。
【００１３】
この構成によれば、前記第２画面で変更可能とされる項目が変更された場合に、その変更後の値が、上記デフォルト画面に表示されるので、操作者は、それまでの値とは異なる値となった項目及びその設定値を、当該表示により確実に把握することができる。
【００１４】
また、請求項４に記載の発明は、請求項１又は請求項２に記載の表示制御プログラムであって、前記表示制御手段は、前記設定変更受付手段によって受け付けられた設定変更指示で、前記第２画面で変更可能とされる項目のいずれかの設定値がデフォルト値から変更されている場合に、当該変更後の設定値を前記デフォルト画面に表示させるように、コンピュータを機能させるものである。
【００１５】
この構成によれば、前記第２画面で変更可能とされる項目がデフォルト値から変更されている場合に、その変更後の値が、上記デフォルト画面に表示されるので、操作者は、デフォルト値とは異なる値となった項目及びその設定値を、当該表示により確実に把握することができる。
【００１６】
また、請求項５に記載の発明は、請求項１乃至請求項４のいずれかに記載の表示制御プログラムであって、前記表示制御手段は、前記デフォルト画面における、前記第２画面で変更可能とされる項目の設定値を示す表示部分に、当該設定値の変更を受け付けるための設定変更ボタンを表示させ、
前記設定変更受付手段は、コンピュータの入力装置を用いた操作者による前記設定変更ボタンの操作に基づいて、前記設定値の変更指示を受け付けるように、コンピュータを機能させるものである。
【００１７】
この構成によれば、操作者は、上記設定変更ボタンの操作により、第２画面を表示させる操作を行わなくても、本来第２画面で変更すべき項目の設定値が変更可能になるので、第２画面で変更すべき項目の設定値の変更操作が容易になる。
【００１８】
また、請求項６に記載の発明は、請求項１乃至請求項５のいずれかに記載の表示制御プログラムであって、前記表示制御手段は、前記設定変更受付手段によって受け付けられた設定変更指示に基づいて、前記第２画面で変更可能とされる項目のいずれかの値が変更された場合、前記デフォルト画面における、当該変更された項目の設定が可能である第２画面への切換案内を表示する部分に、当該案内表示と、当該変更された項目の設定値とを時間差を設けて交互に表示させるように、コンピュータを機能させるものである。
【００１９】
この構成では、上記デフォルト画面における、当該変更された項目の設定が可能である第２画面への案内を表示する部分に、当該案内表示と、当該変更された項目の設定値とが時間差を設けて交互に表示されるので、デフォルト画面における第２画面への案内を表示する部分からはみ出さずに上記変更された設定値が表示される。これにより、デフォルト画面に表示する情報量を増やしても、操作者に対してデフォルト画面の表示内容が煩雑であるという印象を与えない。そして、操作者は、当該第２画面を表示させる操作を行うことなく、第２画面で変更可能な項目の設定値を確認でき、操作性が向上する。
【００２０】
また、請求項７に記載の発明は、請求項１乃至請求項５のいずれかに記載の表示制御プログラムであって、前記表示制御手段は、前記設定変更受付手段によって受け付けられた設定変更指示に基づいて、前記第２画面で変更可能とされる項目のいずれかの値が変更された場合、前記デフォルト画面における、当該変更された項目の設定が可能である第２画面への切換案内を表示する部分に、当該切換案内表示と、当該変更された項目の設定値とをスクロール表示させるように、コンピュータを機能させるものである。
【００２１】
この構成では、上記デフォルト画面における、当該変更された項目の設定が可能である第２画面への切換案内を表示する部分に、当該案内表示と、当該変更された項目の設定値とがスクロール表示されるので、デフォルト画面における第２画面への案内を表示する部分からはみ出さずに上記変更された設定値が表示される。これにより、デフォルト画面に表示する情報量を増やしても、操作者に対してデフォルト画面の表示内容が煩雑であるという印象を与えない。そして、操作者は、当該第２画面を表示させる操作を行うことなく、第２画面で変更可能な項目の設定値を確認でき、操作性が向上する。
【００２２】
また、請求項８に記載の発明は、請求項１乃至請求項５のいずれかに記載の表示制御プログラムであって、前記表示制御手段は、前記設定変更受付手段によって受け付けられた設定変更指示に基づいて、前記第２画面で変更可能とされる項目のいずれかの値が変更された場合、前記デフォルト画面における、当該変更された項目の設定が可能である第２画面への切換案内を表示する部分に、当該表示部分に表示する項目の一部を固定して表示させ、これとは別の項目をスクロール表示させるように、コンピュータを機能させるものである。
【００２３】
この構成では、上記デフォルト画面における、当該変更された項目の設定が可能である第２画面への切換案内を表示する部分に、当該表示部分に表示する項目の一部が固定して表示され、これとは別の項目がスクロール表示により表示されるので、デフォルト画面における第２画面への案内を表示する部分からはみ出さずに上記変更された設定値が表示される。これにより、デフォルト画面に表示する情報量を増やしても、操作者に対してデフォルト画面の表示内容が煩雑であるという印象を与えない。そして、操作者は、当該第２画面を表示させる操作を行うことなく、第２画面で変更可能な項目の設定値を確認でき、操作性が向上する。
【００２４】
また、請求項９に記載の発明は、操作者に対する操作案内をコンピュータの表示部に表示させる表示制御プログラムであって、
操作者に対して１以上の項目の設定値の変更を可能とするデフォルト画面と、１以上の項目の設定値の変更が可能であり、このデフォルト画面から切り換えて表示される第２画面とを表示する表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記表示制御手段は、前記設定変更受付手段によって受け付けられた設定変更指示に基づいて、前記第２画面で変更可能とされる項目のいずれかの値が変更された場合、前記デフォルト画面における、当該変更された項目の設定が可能である第２画面を示す表示部分を、それまでの表示とは異ならせて表示させるように、コンピュータを機能させるものである。
【００２５】
この構成によれば、第２画面で変更可能とされる項目のいずれかの値が変更された場合、当該設定値の変更された項目を示すデフォルト画面における表示部分が、それまでの表示とは異なる表示とされるので、操作者は、当該第２画面を表示させる操作を行うことなく、別個の第２画面で変更可能な項目の設定値が変更されていることを確認でき、操作性が向上する。
【発明の効果】
【００２６】
請求項１、請求項１０、請求項１１及び請求項１２に記載の発明によれば、操作者は、別個の第２画面を表示させる操作を行うことなく、当該別個の第２画面で変更可能な項目の設定値を、別のデフォルト画面で容易に確認できるため、操作性が向上する。
【００２７】
請求項２に記載の発明によれば、操作者は、上記第２画面で変更可能な各項目のそれぞれの設定値を確認しやすくなり、操作性が更に向上する。
【００２８】
請求項３に記載の発明によれば、操作者は、上記第２画面で変更可能とされる項目であって、それまでの値とは異なる値となった項目及びその設定値を、当該表示により確実に把握することができる。
【００２９】
請求項４に記載の発明によれば、操作者は、上記設定変更ボタンの操作により、第２画面を表示させる操作を行わなくても、本来第２画面で変更すべき項目の設定値が変更可能なので、第２画面で変更すべき項目の設定値の変更操作が容易になる。
【００３０】
請求項５に記載の発明によれば、操作者は、デフォルト画面とは別個の第２画面を表示させる操作を行うことなく、第２画面で変更可能な項目の設定値が変更されていることを確認できるため、操作性が向上する。
【００３１】
請求項６乃至請求項８に記載の発明によれば、デフォルト画面における第２画面への案内を表示する部分からはみ出さずに上記変更された設定値を表示される。これにより、デフォルト画面に表示する情報量を増やしても、操作者に対してデフォルト画面の表示内容が煩雑であるという印象を与えない。そして、操作者は、当該第２画面を表示させる操作を行うことなく、第２画面で変更可能な項目の設定値を確認でき、操作性が向上する。
【００３２】
請求項９に記載の発明によれば、第２画面で変更可能とされる項目のいずれかの値が変更された場合、当該設定値の変更された項目を示すデフォルト画面における表示部分が、それまでの表示とは異なる表示とされるので、操作者は、当該第２画面を表示させる操作を行うことなく、別個の第２画面で変更可能な項目の設定値が変更されていることを確認でき、操作性が向上する。
【発明を実施するための最良の形態】
【００３３】
以下、本発明に係る表示制御プログラム、表示装置、表示制御方法及び画像形成装置の実施形態を図面に基づいて説明する。図１は、本発明の一実施形態に係る表示制御プログラムがインストールされたパーソナルコンピュータ（以下、ＰＣという）の概略構成を示すブロック図である。
【００３４】
ＰＣ１は、ＬＡＮ（Local Area Network）ケーブル、又はセントロニクスインターフェイスなどのパラレルケーブルあるいはＲＳ−２３２Ｃなどシリアルケーブル等により、プリンタ２０と接続され、ＰＣ１から出力された印刷データがプリンタ２０で記録用紙上に印刷されるようになっている。通信Ｉ／Ｆ１６０は、ＬＡＮインタフェイス、パラレルＩ／Ｆ部又はシリアルＩ／Ｆ部として機能する。プリンタ２０は、プリンタの他、ファクシミリ機能、プリンタ機能、コピー機能を兼ね備える複合機や、ファクシミリ装置等、プリンタ機能を備える種々の装置が含まれる。
【００３５】
ＰＣ１は、上記通信Ｉ／Ｆ１６０の他、ＣＰＵ１００、ＲＯＭ（リードオンリーメモリ）１１０、ＲＡＭ（ランダムアクセスメモリ）１２０、記録媒体駆動装置１３０、操作部（入力装置）１４０、表示部１５０及び記憶装置２００を備えている。
【００３６】
ＲＯＭ１１０は、記憶装置２００や記録媒体駆動装置１３０等の周辺機器を制御するための基本プログラムであるＢＩＯＳ（basic input/output system）等を記憶している。ＲＡＭ１２０は、ＣＰＵ１００の作業領域として使用され、種々のデータを一時的に記憶する。記録媒体駆動装置１３０は、ＣＰＵ１００の制御の下、ＣＤ−ＲＯＭ、フレキシブルディスク、ＤＶＤ（digital versatile disk）等の記録媒体に記録された種々のデータを読み取る。
【００３７】
操作部１４０は、キーボード、マウス等を含み、ユーザの操作指令を受け付け、操作指令に応じた電気信号をＣＰＵ１００に出力する。表示部１５０は、液晶パネル又はＣＲＴ（陰極線管）等から構成され、ＣＰＵ１００の制御の下に種々の画像を表示する。
【００３８】
記憶装置２００は、例えば磁気ディスクから構成され、パーソナルコンピュータを統括制御するための基本プログラムであるオペレーティングシステムや、本発明の一実施形態に係る表示制御プログラム等を記憶している。この表示制御プログラムは、操作者から設定変更受付部１０２等に入力された指示に基づいて、操作者に対する操作案内を表示部１５０に表示させる処理を、ＣＰＵ１００に実行させるものである。表示制御プログラムは、ＣＤ−ＲＯＭやフレキシブルディスク等の記録媒体に記録されている場合は、この記録媒体を記録媒体駆動装置１３０に装填してインストールすることで記憶装置２００に記憶される。また、表示制御プログラムがインターネット上のＷＥＢサーバに記憶されている場合は、ＷＥＢサーバから表示制御プログラムをダウンロードすることにより、当該プログラムが記憶装置２００に記憶されるようにしてもよい。
【００３９】
ＣＰＵ１００は、オペレーティングシステムの制御の下、上記表示制御プログラムを実行することで、表示制御部１０１（表示制御手段）、設定変更受付部（設定変更受付手段）１０２、中止指示受付部（中止指示受付手段）１０４として機能する。ＣＰＵ１００は、更に、指示受付部１０５、制御部１０６、及び出力部１０７としても機能する。
【００４０】
表示制御部１０１は、表示部１５０の表示動作を制御する。表示制御部１０１は、操作者に対して、印刷の設定に必要な複数の項目（ページレイアウト、給紙カセットの指定、拡大縮小印刷、印刷範囲等。以下、単に項目という）について、各項目の設定値を変更可能であることを示す表示画面を、例えば、後述する印刷操作案内画面（図５）、詳細項目設定画面（図６）等の形式で、表示部１５０に表示させる。
【００４１】
例えば、表示制御部１０１は、操作者に対して操作案内を表示するために、印刷操作案内画面を最初に表示し、この後、操作者による操作に伴って、更に詳細項目設定画面等の別画面を、これに切り替えて表示させる。すなわち、操作者による操作に伴って、表示制御部１０１は、印刷操作案内画面から、当該印刷操作案内画面の下位階層となる別の案内画面を切り替え表示し、印刷操作案内画面では設定できない詳細な１以上の項目を設定できるようにする。
【００４２】
また、表示制御部１０１は、上記の詳細項目設定画面として、最初に表示されるデフォルト画面と、１以上の項目の設定値の変更が可能であり、当該デフォルト画面から切り換えて表示される第２画面とを表示部１５０に表示させる。例えば、表示制御部１０１は、後述の図６に示すように、デフォルト画面として表示する詳細項目設定画面Ｈに、所謂タブ表示により、第２画面への切り換え表示が可能であることを示す。表示制御部１０１は、詳細項目設定画面Ｈにおけるタブ表示部分が操作部１４０として機能するマウスポインタ等により指定されると、第２画面に表示を切り換える。第２画面では、詳細項目設定画面Ｈとは違う種類の項目の設定が可能とされる。これに対して、詳細項目設定画面Ｈの下位の階層となる表示画面（例えば、図５に示す「応用機能」ボタンをマウスポインタ等で指定した場合に表示される表示画面）は、詳細項目設定画面Ｈで設定される項目について、更に詳細な設定を行うための画面として表示される。
【００４３】
設定変更受付部１０２は、表示制御部１０１によって上記印刷操作案内画面、詳細項目設定画面又は第２画面等が表示部１５０に表示されているときに、各項目の設定値を変更する指示を、各項目毎に操作者から受け付ける。この指示は、操作部１４０を介して操作者から入力される。
【００４４】
中止指示受付部１０４は、表示制御部１０１が、第２設定画面で設定された項目の設定値を詳細項目設定画面に表示させている場合に、当該設定値表示を中止する中止指示を、表示中の各設定値毎に操作者から受け付ける。表示制御部１０１は、中止指示受付部１０４によって上記中止指示が受け付けられた設定値の表示を中止させる。
【００４５】
指示受付部１０５は、操作部１４０の操作で操作者から入力される印刷その他に関する各種指示を受け付ける。制御部１０６は、ＰＣ１の全体的な動作制御を司ると共に、操作部１４０から操作者によって入力された指示に基づいて、印刷処理に必要な各種の制御を行う。また、出力部１０７は、図略のプリンタ印刷用データ変換部で印刷に必要なデータ変換処理がされた後のデータを、通信Ｉ／Ｆ１６０を介してプリンタ２０に出力させる。
【００４６】
なお、本発明の一実施形態に係る表示装置は、例えば、表示部１５０及びＣＰＵ１００（表示制御部１０１、設定変更受付部１０２、中止指示受付部１０４、指示受付部１０５のうちの必要な機能）を備えてなる。
【００４７】
次に、本発明の一実施形態に係る表示制御プログラムがインストールされた上記ＰＣ１による、印刷時における表示制御の第１実施形態について説明する。図２は、ＰＣ１による印刷時の表示制御の第１実施形態を示すフローチャートである。図３乃至図９は表示部１５０の画面表示例を示す図である。
【００４８】
表示部１５０がワードプロセッサのアプリケーションを表示している状態を例にして説明する。操作者によるマウス（操作部１４０）の操作で、図３に示す画面表示例の「ファイル」欄Ａがクリック（押下）され、実行可能な各種機能を示す機能一覧ツリーを表示させる指示が操作者から指示受付部１０５に受け付けられると（Ｓ１でＹＥＳ）、表示制御部１０１は、図４に示すように、機能一覧ツリーＢを表示部１５０にプルダウン表示させる（Ｓ２）。
【００４９】
上記機能一覧ツリーＢが表示部１５０に表示されている状態で、操作者によるマウス操作で、機能一覧ツリーＢの印刷ボタンＣがクリックされ、印刷操作案内画面の表示指示が指示受付部１０５に受け付けられると（Ｓ３でＹＥＳ）、図５に示すような印刷操作案内画面Ｄを表示部１５０に表示させる（Ｓ４）。
【００５０】
印刷操作案内画面Ｄが表示部１５０に表示されている状態で、印刷操作案内画面ＤのＯＫボタンＦが、操作者によるマウス操作でクリックされ、指示受付部１０５に印刷指示が受け付けられると（Ｓ５でＹＥＳ）、この時点で設定されている各項目の設定値に従って、制御部１０６が、印刷対象データの印刷処理を実行する（Ｓ１４）。
【００５１】
また、印刷操作案内画面Ｄが表示部１５０に表示されている状態で、ＯＫボタンＦがクリックされずに、プロパティボタンＧが操作者によりクリックされ、詳細項目設定画面の表示指示が表示制御部１０１に受け付けられると（Ｓ５でＮＯ、Ｓ６でＹＥＳ）、表示制御部１０１は、図６に示すような詳細項目設定画面Ｈを上述したデフォルト画面として表示部１５０に表示させる（Ｓ７）。この詳細項目設定画面Ｈは、最初に表示される印刷操作案内画面Ｄでは設定を変更することができない項目（給紙方法や用紙種類等）の設定が可能とされている。また、詳細項目設定画面Ｈの上部に表示されている各タブ（レイアウトタブＪ１、イメージタブＪ２…）を、操作者がマウス操作でクリックすると、表示制御部１０１は、別項目の設定変更が可能な更なる別の詳細項目設定画面に表示を切り替えるようになっている。
【００５２】
そして、表示制御部１０１は、その時点で表示中の詳細項目設定画面では設定できず、操作者がレイアウトタブＪ１、イメージタブＪ２…を押下して別の詳細項目設定画面を上述した第２画面として表示させた上で操作者が設定可能な各項目（ページレイアウト（2 in 1等）、バックグラウンド印刷等）が、それまでの印刷操作で、例えばデフォルト値（初期設定値）から変更されているか否かを判断する（Ｓ８）。
【００５３】
表示制御部１０１が、デフォルト値から変更されている項目があると判断した場合（Ｓ８でＹＥＳ）、当該デフォルト値が変更されている項目の設定変更が可能な詳細項目設定画面に対応するタブ表示部分の近傍に、この時点で設定されている設定値を表示させる（Ｓ９）。
【００５４】
例えば、図７に示すように、印刷レイアウトがデフォルト値の1 in 1から2 in 1に変更されている場合、表示制御部１０１は、印刷レイアウトの項目の設定変更が可能な画面に対応するレイアウトタブＪ１の近傍に、「2 in 1に設定」と表示させる。また、バックグラウンド印刷がデフォルト値の「背景無し」から「社外秘」の印刷に変更されている場合、表示制御部１０１は、バックグラウンド印刷の項目の設定変更が可能な画面に対応するウォーターマークタブＪ５の近傍に、『「社外秘」を印刷』と表示させる。複数の項目がデフォルト値から変更されている場合は、各項目の設定値をそれぞれ表示させる。これにより、操作者は、現状で表示されている詳細項目設定画面では設定及び確認ができない設定値を、当該項目の設定が可能な別の詳細項目設定画面を表示させることなく確認することができる。
【００５５】
上記各項目の設定値表示は、図８（ａ）（ｂ）に示すようにしてもよい。表示制御部１０１は、図８（ａ）に示すように第２画面の案内となるレイアウトタブＪ１表示部分に「レイアウト」を表示しておき、一定時間（例えば0.5秒）が経過すると、図８（ｂ）に示すように、当該表示部分の表示を、項目の設定内容を示す「2 in 1」に切り換える。さらに一定時間（例えば0.5秒）が経過すると、表示制御部１０１は、当該表示部分の表示を「レイアウト」に切り換える処理を繰り返す。この場合、表示制御部１０１は、例えば、記憶装置２００内の表示画像データ記憶領域から、表示画像データ記憶部５３から必要な静止画像データを適宜読み出して表示部１５０に上記内容を表示させる。
【００５６】
さらに、上記各項目の設定値表示は、図９（ａ）（ｂ）（ｃ）に示すようにしてもよい。表示制御部１０１は、図９（ａ）に示すように第２画面の案内となるレイアウトタブＪ１表示部分において、いわゆるスクロール表示により各表示項目を表示させるようにしてもよい。例えば、表示制御部１０１は、図９（ａ）に示すように第２画面の案内となるレイアウトタブＪ１表示部分に「レイアウト」を表示しておき、時間経過と共に徐々に、図９（ｂ）に示すように「レイアウト」の表示を図９（ｂ）における左端から消去していき、これと共に右端から「2 in 1」の表示を開始させる。表示制御部１０１は、図９（ｃ）に示すように「2 in 1」の表示に切り換えた後は、上記と同様に、「2 in 1」の表示を左端から消去していき、これと共に右端から「レイアウト」の表示を開始させ、以後同様の処理を繰り返す。この場合、表示制御部１０１は、例えば、記憶装置２００内の表示画像データ記憶領域から、表示画像データ記憶部５３から必要な動画データを読み出して再生することで、表示部１５０に上記内容を表示させる。なお、表示制御部１０１は、上記スクロール表示を、上記のように左右方向だけでなく、上下方向など、その他の方向において行うようにしてもよい。
【００５７】
また、表示制御部１０１は、図１０（ａ）（ｂ）（ｃ）に示すように、表示制御部１０１は、第２画面の案内となるレイアウトタブＪ１表示部分において、当該表示部分に表示する項目の一部（例えば、第２画面への切換案内となる「レイアウト」）を固定して表示させ、これとは別の項目（例えば、項目の設定内容を示す「2 in 1」「倍率120％」）をスクロール表示させるようにしてもよい。例えば、表示制御部１０１は、図１０（ａ）に示すように第２画面の案内となるレイアウトタブＪ１表示部分に「レイアウト」は表示をそのままで固定させておき、時間経過と共に徐々に、図１０（ａ）から図１０（ｂ）に示すように「2 in 1」の表示部分を左端から消去していき、これと共に右端から「倍率120％」の表示を開始させる。表示制御部１０１は、図１０（ｃ）に示すように「倍率120％」の表示に切り換えた後は、上記と同様に、「倍率120％」の表示を左端から消去していき、これと共に右端から「2 in 1」の表示を開始させ、以後同様の処理を繰り返す。この場合、表示制御部１０１は、例えば、記憶装置２００内の表示画像データ記憶領域から、表示画像データ記憶部５３から必要な動画データを読み出して再生することで、表示部１５０に上記内容を表示させる。なお、表示制御部１０１は、上記スクロール表示を、上記のように左右方向だけでなく、上下方向など、その他の方向において行うようにしてもよい。
【００５８】
また、上記で説明した各態様の上記各項目の設定値表示では、表示制御部１０１が、変更された項目を有する第２画面のタブ表示部分を、他のタブよりも拡大させて表示するようにしてもよい。
【００５９】
なお、表示制御部１０１は、デフォルト値から変更されている項目がないと判断した場合（Ｓ８でＮＯ）、Ｓ９の処理をスキップする。
【００６０】
なお、Ｓ８及びＳ９の処理と、Ｓ７の詳細項目設定画面Ｈの表示処理は、いずれの処理を先に行っても構わない。また、上記Ｓ８では、表示制御部１０１が、デフォルト値から変更されている項目の設定値を、その項目の設定が可能な画面に対応するタブ表示部分近傍に表示するようにしているが、これに代えて、Ｓ８では、表示制御部１０１が、前回の印刷処理実行時に設定値が変更された項目が有るか否かを判断し、設定値が変更されている項目の設定値を、その項目の設定が可能な画面に対応するタブ表示部分近傍に表示するようにしてもよい。
【００６１】
詳細項目設定画面Ｈの表示時に、例えば操作者がマウスポインタ操作で給紙方法の設定を変更する等により、いずれかの項目の設定を変更し、当該設定変更指示が設定変更受付部１０２に受け付けられると（Ｓ１０でＹＥＳ）、制御部１０６は、当該設定変更された項目を、操作者からの指示に従った値に変更して記憶する（Ｓ１１）。この詳細項目設定画面Ｈでの項目の変更設定は、操作者がマウス操作でＯＫボタンＫをクリックするまで、複数の項目のそれぞれについて可能とされる（Ｓ１２でＮＯ，Ｓ１５でＮＯ，Ｓ７）。
【００６２】
詳細項目設定画面Ｈの表示時に、操作者が、マウス操作でＯＫボタンＫをクリックすると（Ｓ１５でＹＥＳ）、処理はＳ４に戻り、表示制御部１０１は、表示部１５０に、再び印刷操作案内画面Ｄを表示させる。
【００６３】
また、操作者によるマウス操作で、詳細項目設定画面Ｈの上部に表示されている各タブ（レイアウトタブＪ１、イメージタブＪ２…）がクリックされると（Ｓ１２でＹＥＳ）、表示制御部１０１は、別項目の設定変更が可能な更なる別の詳細項目設定画面（第２画面又はデフォルト画面）に表示を切り替える（Ｓ１３）。この後、処理はＳ８に戻る。そして、表示制御部１０１は、当該更なる別の詳細項目設定画面に表示を切り替えた後も、Ｓ８乃至Ｓ１２の処理を行う。すなわち、別の詳細項目設定画面に表示を切り替えた後も、表示制御部１０１は、異なる詳細項目設定画面においてデフォルト値から変更されている設定値が、対応するタブ表示部分の近傍に表示させる。
【００６４】
このように、当該表示制御によれば、詳細項目設定画面の表示時、別の詳細項目設定画面でしか設定値の変更ができない項目の当該時点での設定値を、当該別の詳細項目設定画面に表示を切り替える操作を行わなくても、操作者が容易に把握することができる。
【００６５】
次に、詳細項目設定画面においてタブ表示部分近傍に表示される、別の詳細項目設定画面の項目の設定値を変更する際の処理を説明する。図１１は、当該別の詳細項目設定画面の項目の設定値を変更する際の処理を示すフローチャート、図１２は表示部１５０の画面表示例を示す図である。
【００６６】
上記第１実施形態では、操作者が、デフォルト画面である詳細項目設定画面Ｈにおいてタブ表示部分近傍に表示される、他の詳細項目設定画面（第２画面）の項目の設定値を変更したい場合、操作者はマウス操作により当該設定値の項目に対応する他の詳細項目設定画面（第２画面）のタブ表示部分をクリックして、当該詳細項目設定画面に表示を切り替える操作を行い、切り換え表示された第２画面の詳細項目設定画面において、変更したい項目の設定値を変更する操作を行わなければならない。これに対して、第２実施形態は、以下に示すように、上記タブ表示部分近傍の設定値表示部分を操作者がマウス操作することで、表示中の設定値の変更を可能とするものである。
【００６７】
表示制御部１０１は、詳細項目設定画面においてタブ表示部分近傍に、上記他の詳細項目設定画面（第２画面）の設定値を表示させているとき（Ｓ２１）、例えば図１２に示すように、各設定値表示枠Ｅ１，Ｅ２に、それぞれプルダウンボタンＮを表示させておき、操作者によるマウス操作で当該プルダウンボタンＮがクリックされ、変更候補値の表示指示が設定変更受付部１０２に受け付けられると（Ｓ２２でＹＥＳ）、設定値の変更候補値を例えばプルダウン表示Ｐにより複数表示させる（Ｓ２３）。ここで、操作者によるマウス操作により、上記複数の変更候補値の中から、新たに設定する値を表示する部分がクリックされ、操作者による変更値の指示が設定変更受付部１０２に受け付けられると（Ｓ２４でＹＥＳ）、制御部１０６は、当該項目の設定値を指定された値に変更する（Ｓ２５）。
【００６８】
これにより、操作者は、プルダウンボタンＮの操作により、別の詳細項目設定画面に切り替える操作を行うことなく、当該設定値表示枠Ｅ１，Ｅ２で表示している項目の設定値の変更が可能であるので、操作性が更に向上する。
【００６９】
また、表示制御部１０１が設定値表示枠Ｅ１，Ｅ２内に表示させている非表示ボタンＱを、操作者がマウス操作でクリックすると、クリックされた非表示ボタンＱの設定値表示枠を非表示とする指示が設定変更受付部１０２に受け付けられる（Ｓ２６でＹＥＳ）。この非表示指示が設定変更受付部１０２に受け付けられると、表示制御部１０１は、当該クリックされた非表示ボタンＱの設定値表示枠を非表示とする（Ｓ２７）。これにより、操作者は、所望に応じて、上記設定値表示枠の表示及び非表示を切り替えることができる
なお、表示制御部１０１は、デフォルト値が変更されている項目か、又は前回の印刷処理実行時に設定値が変更された項目かに応じて、上記設定値表示枠を表示させるか否かを表示制御しているため、Ｓ２６及びＳ２７の処理に拘わらず、項目の設定値がデフォルト値に戻されたこと、又は前回の印刷処理実行時に設定値が変更されなかった状態に遷移したことをもって、上記表示枠を非表示とするようにしてもよい。
【００７０】
次に、本発明の一実施形態に係る表示制御プログラムがインストールされた上記ＰＣ１による、印刷時における表示制御の第２実施形態について説明する。図１３は、ＰＣ１による印刷時の表示制御の第２実施形態を示すフローチャートである。図１４は、詳細項目設定画面（デフォルト画面）の例を示す図である。なお、図２で示した第１実施形態と同様の処理は、同符号を付して説明を省略する。
【００７１】
表示制御部１０１は、最初の詳細設定画面（デフォルト画面）表示時に、これとは別の詳細項目設定画面（第２画面）の各項目がデフォルト値から変更されている場合に、上記第１実施形態では、当該最初の詳細項目設定画面（デフォルト画面）において、項目が変更された詳細項目設定画面（第２画面）に対応するタブ表示部分の近傍に、当該変更されている設定値を表示させるようにしているが、第２実施形態では、当該最初の詳細項目設定画面において、対応するタブ表示部分を変色させて表示する。
【００７２】
すなわち、表示制御部１０１は、最初の詳細項目設定画面（デフォルト画面）の表示時に（Ｓ７）、デフォルト値から変更されている項目（又は前回の印刷処理実行時に変更されている項目）があると判断した場合（Ｓ８でＹＥＳ）、例えば図１４に示すように、当該デフォルト値が変更されている詳細項目設定画面に対応するタブ表示部分の色を、他のタブ表示部分とは色を異ならせて表示させる（Ｓ３１）。これにより、操作者は、当該変色表示されたタブに対応する詳細項目設定画面の項目の設定値が、デフォルト値から変更されていること、又は前回の印刷処理実行時に変更されていることを容易に認識することができる。なお、表示制御部１０１は、上記デフォルト値が変更されている項目の設定変更が可能な詳細項目設定画面に対応するタブ表示部分を、太枠で表示する、網掛け表示する、拡大表示する等の表示形式により、他のタブ表示部分とは異なる表示となるようにしてもよい。
【００７３】
なお、本発明は上記実施の形態の構成に限られず種々の変形が可能である。例えば、上記実施形態では、表示制御部１０１は、上記デフォルト画面の詳細項目設定画面を表示部１５０に表示させるとき、上記デフォルト値から変更された他の詳細項目設定画面（第２画面）の項目の設定値をそれぞれ別個の表示枠で表示させているが、複数の項目及びそれらの設定値を１つの表示枠に纏めて表示させるようにしてもよい。
【００７４】
また、表示部１５０及びＣＰＵ１００（表示制御部１０１、設定変更受付部１０２、中止指示受付部１０４、指示受付部１０５のうちの必要な機能）を備えてなる上記表示装置を、電子写真方式やインクジェット方式等の画像形成機構を備えた画像形成装置に適用することも可能である。この場合、画像形成装置に備えられるＬＣＤ（Liquid Crystal Display）等の操作パネルが表示部１５０として機能し、画像形成装置の全体動作の制御を司るために画像形成装置に備えられている中央制御部が上記ＣＰＵ１００として機能するようにすればよい。
【００７５】
また、上記実施形態では、パーソナルコンピュータ１が、本発明の一実施に係る表示制御プログラムに従って機能するとして説明しているが、特許請求の範囲に示すコンピュータは、パーソナルコンピュータに限られず、様々な電気機器に搭載されるコンピュータ機能部分を含む。例えば、各種ＯＡ機器や家電製品等に備えられるコンピュータ機能部分（マイコンやＩＣ等であってもプログラムを実行できる機能を有するものであれば足りる）が、特許請求の範囲に示すコンピュータに含まれる。
【００７６】
また、上記には本発明の一実施に係る表示制御プログラム、表示装置及び表示方法の構成及び制御を図１乃至図１４を用いて示したが、これらはあくまでも一例に過ぎず、本発明に係る表示制御プログラム、表示装置及び表示方法を上述した構成及び制御に限定する趣旨ではない。
【図面の簡単な説明】
【００７７】
【図１】本発明の一実施形態に係る表示制御プログラムがインストールされたパーソナルコンピュータの概略構成を示すブロック図である。
【図２】ＰＣによる印刷時の表示制御の第１実施形態を示すフローチャートである。
【図３】表示部の画面表示例を示す図である。
【図４】表示部の画面表示例を示す図である。
【図５】表示部の画面表示例を示す図である。
【図６】表示部の画面表示例を示す図である。
【図７】表示部の画面表示例を示す図である。
【図８】（ａ）（ｂ）は表示部の画面表示例を示す図である。
【図９】（ａ）（ｂ）（ｃ）は表示部の画面表示例を示す図である。
【図１０】（ａ）（ｂ）（ｃ）は表示部の画面表示例を示す図である。
【図１１】別の詳細項目設定画面の項目の設定値を変更する際の処理を示すフローチャートである。
【図１２】表示部の画面表示例を示す図である。
【図１３】ＰＣによる印刷時の表示制御の第２実施形態を示すフローチャートである。
【図１４】詳細項目設定画面の例を示す図である。
【符号の説明】
【００７８】
１          パーソナルコンピュータ 
１００      ＣＰＵ
１０１      表示制御部
１０２      設定変更受付部
１０４      中止指示受付部
１０５      指示受付部
１０６      制御部
１０７      出力部
１４０      操作部
１５０      表示部
Ｅ１，Ｅ２  設定値表示枠
Ｈ          詳細項目設定画面
Ｊ１        レイアウトタブ
Ｊ２        イメージタブ
Ｊ５        ウォーターマークタブ
【図１】
2008046773.tif 000003
【図２】
2008046773.tif 000004
【図３】
2008046773.tif 000005
【図４】
2008046773.tif 000006
【図５】
2008046773.tif 000007
【図６】
2008046773.tif 000008
【図７】
2008046773.tif 000009
【図８】
2008046773.tif 000010
【図９】
2008046773.tif 000011
【図１０】
2008046773.tif 000012
【図１１】
2008046773.tif 000013
【図１２】
2008046773.tif 000014
【図１３】
2008046773.tif 000015
【図１４】
2008046773.tif 000016